(57)【要約】【課題】この発明は、サムターン回し等によるドアの破損を簡単かつ確実に検知することができ、ひいては玄関等からの空き巣や強盗等の侵入を防止することが可能なドア用防犯システムおよび防犯ドアの提供を目的とする。【解決手段】ドア１は、その内部に空間部１６が設けられ、空間部１６が真空状態となされている。空き巣や強盗等によってサムターン回しのための孔がドア１にあけられると、空間部の１６の真空状態が崩されて、気体の圧力が変化する。圧力検知装置２は、その空間部における圧力の変化を検知し、それてに伴って警報出力装置３が警報を出力する。【選択図】      図１
2004206675.tif 000002
【特許請求の範囲】
【請求項１】
ドアに用いられるドア用防犯システムであって、
気体の圧力が一定に保たれた状態で前記ドアに設けられる空間部と、
該空間部における気体の圧力の変化を検知する圧力検知手段と、
該圧力検知手段により前記空間部における気体の圧力の変化が検知された場合に警報を出力する警報出力手段と、
を備えてなることを特徴とするドア用防犯システム。
【請求項２】
前記空間部は、前記ドアの内部に設けられている請求項１に記載のドア用防犯システム。
【請求項３】
前記空間部は、真空状態に保たれている請求項１または請求項２に記載のドア用防犯システム。
【請求項４】
前記空間部は、前記ドアに取り付けられたサムターンの周辺部に設けられている請求項１ないし請求項３のいずれかに記載のドア用防犯システム。
【請求項５】
前記圧力検知手段は、前記ドアを構成するドア板に穿設された圧力取出孔に連通する気体抜出孔が設けられている請求項１ないし請求項４のいずれかに記載のドア用防犯システム。
【請求項６】
前記警報出力手段は、前記圧力検知手段により前記空間部における気体の圧力の変化が検知された場合に、警備会社のコンピュータに対して警報をネットワークを介して出力するものとなされている請求項１ないし請求項５のいずれかに記載のドア用防犯システム。
【請求項７】
前記ドアは、ドア受材の溝にはめて左右に開閉する引き戸であって、
前記圧力検知手段に結線されたマグネットプラグの雄部材または雌部材の一方が前記ドアに設けられるとともに、前記警報出力手段に結線されたマグネットプラグの雄部材または雌部材の他方が前記ドア受材に設けられ、前記ドアが前記ドア受材に対して閉鎖された場合に、前記マグネットプラグの雄部材および雌部材が通電可能な状態で接触するものとなされている請求項１ないし請求項６のいずれかに記載のドア用防犯システム。
【請求項８】
前記警報出力手段は、前記マグネットプラグの雄部材および雌部材の通電状態が遮断された場合に警報を出力するものとなされている請求項７に記載のドア用防犯システム。
【請求項９】
前記マグネットプラグは、雄部材または雌部材の少なくともいずれか一方の接触端子が弾性部材により他方の接触端子の接近離間方向に付勢されている請求項７または請求項８に記載のドア用防犯システム。
【請求項１０】
気体の圧力が一定に保たれた空間部と、該空間部における気体の圧力の変化を検知する圧力検知手段とが設けられてなることを特徴とする防犯ドア。
【発明の詳細な説明】
【０００１】
【発明の属する技術分野】
この発明は、玄関等から空き巣や強盗等が侵入することを防止するためのドア用防犯システムおよび防犯ドアに関する。
【０００２】
【従来の技術】
近年、邸宅、店舗、あるいは事務所等において、空き巣や強盗等が様々な巧妙な手口で玄関等から侵入する事件が多発している。
【０００３】
例えば、細い棒とピンセットのような工具を玄関等のドアの錠前の鍵穴に差し込み、錠前をこじ開ける「ピッキング」と呼ばれる手口や、錠前のシリンダーカバーを持ち上げて、その空間部から特殊工具を挿入させ、錠前のカムを直接解錠させる「カム送り」と呼ばれる手口が知られている。
【０００４】
そして、これらピッキングやカム送りの手口に対しては、ピッキング対応の高性能の錠前や、カム送りを防止する器具が普及していることから（例えば、特許文献１参照）、空き巣や強盗等がピッキングやカム送りを行うことが難しくなってきており、それらの手口による犯罪件数も減少してきている。
【０００５】
【特許文献１】特開２００３−１２００８２号公報
【０００６】
【発明が解決しようとする課題】
しかしながら、最近では、上述のピッキングやカム送りに代わって「サムターン回し」と呼ばれる手口が増加してきている。このサムターン回しとは、  手動ドリル等でドアの錠前の周辺部に孔を開けたあと、針金を約９０度に曲げて先端を細工した道具をその孔に差し込み、ドア内側のサムターン（つまみ）に引っ掛けて回して解錠するという手口である。特に最近では手動ドリルや電池式ドリルの普及によりコンセントは不要、ドリルの回転音も静か、その上、ドアの材質もアルミニウム製が増えたので、ドアに簡単に静かに速く孔を開けられてしまう。このため、玄関等からの空き巣や強盗等の侵入を防止することは難しいという問題があった。
【０００７】
この発明は、上述の問題に鑑みてなされたものであって、サムターン回し等によるドアの破損を簡単かつ確実に検知することができ、ひいては玄関等からの空き巣や強盗等の侵入を防止することが可能なドア用防犯システムおよび防犯ドアの提供を目的とする。
【０００８】
【課題を解決するための手段】
この発明は、上述の問題に鑑みてなされたものであって、ドアに用いられるドア用防犯システムであって、
気体の圧力が一定に保たれた状態で前記ドアに設けられる空間部と、該空間部における気体の圧力の変化を検知する圧力検知手段と、該圧力検知手段により前記空間部における気体の圧力の変化が検知された場合に警報を出力する警報出力手段と、を備えてなることを特徴とする。
【０００９】
これによれば、ドアに孔があけば、前記空間部と外気とが連通し、前記空間部における気体の圧力が変化するので、前記圧力検知手段がその気体の圧力の変化を検知し、その検知に伴って前記警報出力手段が警報を出力することができる。このため、サムターン回し等によるドアの破損を簡単かつ確実に検知することができ、ひいては玄関等からの空き巣や強盗等の侵入を防止することが可能となる。
【００１０】
また、前記空間部は、前記ドアの内部に設けられているのが好ましい。
【００１１】
これによれば、ドアの外観を損ねることなく、サムターン回し等によるドアの破損を簡単かつ確実に検知することができる。
【００１２】
また、前記空間部は、真空状態に保たれているのが好ましい。
【００１３】
これによれば、ドアの断熱効果を向上させることができるとともに、前記空間部における気体の圧力変化をより簡単かつ確実に検知することができる。なお、真空状態とは、前記空間部における気体の圧力が０である完全な真空状態のみならず、気体の圧力が極めて低く完全な真空状態に近い状態も含むものとする。
【００１４】
また、前記空間部は、前記ドアに取り付けられたサムターンの周辺部に設けられているものとしてもよい。
【００１５】
これによれば、ドアの全面に亘って空間部を設ける必要がないので、コストを低減させつつサムターン回しを効率的に防止すことができる。
【００１６】
また、前記圧力検知手段は、前記ドアを構成するドア板に穿設された圧力取出孔に連通する気体抜出孔が設けられているものとしてもよい。
【００１７】
これによれば、前記圧力検知手段の気体抜出孔から、ドア板の圧力取出孔を介して前記空間部における気体を抜き出すことができる。なお、前記ドア板の圧力取出孔は、ドア板に新規に穿設してもいし、あるいはドア板に既に穿設されている既存の気体抜出孔を流用してもよい。
【００１８】
また、記警報出力手段は、前記圧力検知手段により前記空間部における気体の圧力の変化が検知された場合に、警備会社のコンピュータに対して警報をネットワークを介して出力するものとなされているのが好ましい。
【００１９】
これによれば、警備会社においても空き巣や強盗等の侵入を検知することができ、防犯システムの信頼性がより一層向上することが可能となる。
【００２０】
また、前記ドアは、ドア受材の溝にはめて左右に開閉する引き戸であって、
【００２１】
前記圧力検知手段に結線されたマグネットプラグの雄部材または雌部材の一方が前記ドアに設けられるとともに、前記警報出力手段に結線されたマグネットプラグの雄部材または雌部材の他方が前記ドア受材に設けられ、前記ドアが前記ドア受材に対して閉鎖された場合に、前記マグネットプラグの雄部材および雌部材が通電可能な状態で接触するものとなされているものとしてもよい。
【００２２】
これによれば、ドア（引き戸）が前記ドア受材に対して閉鎖されると、前記マグネットプラグの雄部材および雌部材が通電可能な状態で接触するので、前記圧力検知手段と警報出力手段も通電することができる。このため、ドア受材の溝にはめて左右に開閉する引き戸についても、この防犯システムを容易に適用する事が可能となる。
【００２３】
また、前記警報出力手段は、前記マグネットプラグの雄部材および雌部材の通電状態が遮断された場合に警報を出力するものとなされているのが好ましい。
【００２４】
これによれば、空き巣や強盗等がドアに孔をあけずにドアを開放した場合でも、そのドアの開放を検知するので、玄関等からの空き巣や強盗等の侵入を防止することが可能となる。
【００２５】
また、前記マグネットプラグは、雄部材または雌部材の少なくともいずれか一方の接触端子が弾性部材により他方の接触端子の接近離間方向に付勢されているのが好ましい。
【００２６】
これによれば、ドアがドア受材に対して閉鎖されて、マグネットプラグの雄部材および雌部材が接触した際に、マグネットプラグの雄部材および雌部材の各接触端子の距離や位置のずれが吸収され、圧力検知手段と警報出力手段を確実に通電させることができる。なお、弾性部材には、スプリング、バネ、ゴム等が挙げられる。
【００２７】
また、この発明に係る防犯ドアは、気体の圧力が一定に保たれた空間部と、該空間部における気体の圧力の変化を検知する圧力検知手段とが設けられてなることを特徴とする。
【００２８】
これによれば、ドアに設けられた圧力検知手段を、所定箇所に配置された警報出力手段に接続させれば、上述のドア用防犯システムを簡単かつ確実に実現することができる。
【００２９】
【発明の実施の形態】
［実施形態１］
次にこの発明の一実施形態に係るドア用防犯システムについて説明する。
【００３０】
図１は、このドア用防犯システムの構成概略図である。
【００３１】
図１において、（１）は玄関のドア、（２）は前記ドア（１）に設けられた圧力検知装置、（３）は前記圧力検知装置（２）に電気線（４）を介して接続された警報出力装置である。なお、図１は、玄関内からドア（１）を見た状態を示す。
【００３２】
前記ドア（１）は、矩形状のドア枠（１１）と、該ドア枠（１１）内に設けられたドア本体（１２）と、ドア本体（１２）に設けられたドアノブ（１３）と、ドア本体（１２）におけるドアノブ（１３）の上方に設けられたサムターン（１４）とを備えてなり、ドア枠（１１）の左端部が蝶番（１５）（１５）を介して矩形状のドア受枠（５）に支持されており、ドア（１）が玄関の外側方向に開閉するものとなされている。
【００３３】
前記ドア枠（１１）は、横断面略ロ字形状の上ドア枠材（１１ａ）、下ドア枠材（１１ｂ）、左ドア枠材（１１ｃ）、および右ドア枠材（１１ｄ）から構成されるアルミニウム製のドア枠である。
【００３４】
前記ドア本体（１２）は、図２に示すように、所定の厚さの矩形状に形成されたアルミニウム製のドア板（１２ａ）（１２ａ）と、ドア板（１２ａ）（１２ａ）の周囲開口部を閉鎖する閉鎖板（１２ｂ）とを備えてなり、これらドア板（１２ａ）（１２ａ）と閉鎖板（１２ｂ）により囲まれる部分が空間部（１６）となされている。なお、この空間部（１６）にスペーサを複数設け、これらスペーサにより前記ドア板（１２ａ）（１２ａ）の対向距離を一定に保つものとしてもよい。
【００３５】
また、玄関内側の前記ドア板（１２ａ）の左上隅部には、図３に示すように、小径の圧力取出孔（１２ｃ）が穿設されている。この圧力取出孔（１２ｃ）は、前記空間部（１６）における気体の圧力を取り出すとともに、前記圧力検知装置（２）を取り付けるための孔であり、取付側の内周面には螺旋が形成されている。
【００３６】
また、ドア板（１２ａ）の前記圧力取出孔（１２ｃ）の下方には小径の気体抜出孔（１２ｄ）が穿設されている。この気体抜出孔（１２ｄ）は、前記空間部（１６）における気体（この実施形態では空気）を抜き出すための孔であり、この気体抜出孔（１２ｄ）から前記空間部（１６）の空気がほぼ全て抜き出されることにより、該空間部（１６）は真空状態（真空に近い状態も含む）となされる。このように前記空間部（１６）が真空状態になると、ドア（１）の断熱効果を向上させることができる。
【００３７】
また、（１７）は、前記気体抜出孔（１２ｄ）に嵌着される保護キャップであり、前記気体抜出孔（１２ｄ）から空気が抜き出されて前記空間部（１６）が真空状態となされたあと、前記気体抜出孔（１２ｄ）を閉蓋するものである。なお、前記ドア板（１２ａ）の耐久性を向上するために、前記保護キャップ（１７）を前記気体抜出孔（１２ｄ）に差し込んで取りつけるに際し、その差し込み深さがドア板（１２ａ）の厚さの１／２を越えないように前記気体抜出孔（１２ｄ）を形成するのが好ましい。
【００３８】
前記圧力検知装置（２）は、図３に示すように、直方体状のケーシング（２１）と、該ケーシング（２１）内に横方向に収容された圧力スイッチ（２２）とを備えてなる。
【００３９】
前記圧力スイッチ（２２）は、圧力スイッチ本体部（２２ａ）に、マイクロスイッチ（２２ｂ）、調整ねじ（２２ｃ）、調圧ばね（２２ｄ）、ダイヤフラム（２２ｅ）、リンク板（２２ｆ）、および周面に螺旋が形成された接続ポート（２２ｇ）がそれぞれ設けられている。そして、前記圧力検知装置（２）は、前記ケーシング（２１）から突出した接続ポート（２２ｇ）を前記ドア板（１２ａ）の圧力取出孔（１２ｃ）に螺着させながら差し込むことにより、前記ドア板（１２ａ）に取り付けられている。
【００４０】
前記圧力スイッチ（２２）の機能について具体的に説明する。
【００４１】
前記圧力スイッチ（２２）は、前記接続ポート（２２ｇ）が前記圧力取出孔（１２ｃ）を介して前記空間部（１６）と連通しており、前記空間部（１６）における気体の圧力を取り込めるようになっている。このとき、前記空間部（１６）が真空状態に保たれている場合には、マイクロスイッチ（２２ｂ）のＣ−ＮＣ端子間が通電状態となる。
【００４２】
そして、外側の前記ドア板（１２ａ）にドリル等で孔があけられた場合、前記空間部（１６）の真空状態が崩されて気体の圧力が上がり、前記空間部（１６）における気体の圧力は前記圧力取出孔（１２ｃ）を介して前記接続ポート（２２ｇ）から入り、ダイヤフラム（２２ｅ）およびリンク板（２２ｆ）に作用して調圧ばね（２２ｄ）を圧縮し、リンク板（２２ｆ）がマイクロスイッチ（２２ｂ）のピン釦を押してスイッチを切り替える。このとき、マイクロスイッチ（２２ｂ）はＣ−ＮＯ端子間が通電状態となる。
【００４３】
しかして、前記圧力検知装置（２）は、圧力スイッチ（２２）におけるマイクロスイッチ（２２ｂ）の端子の切り替わりにより、前記空間部（１６）の圧力変化を検知することができる。
【００４４】
前記警報出力装置（３）は、図４に示すように、各部を統括的に制御する制御部（３１）と、前記圧力検知装置（２）のＣ−ＮＣ端子間またはＣ−ＮＯ端子間の通電状態を受信する受信部（３２）と、警報を画面表示により出力する表示部（３３）と、警報を音声により出力するスピーカ部（３４）と、各種操作を行う操作部（３５）とを備えてなる。
【００４５】
しかして、前記制御部（３１）は、前記受信部（３２）により前記圧力検知装置（２）のＣ−ＮＣ端子間またはＣ−ＮＯ端子間の通電状態を受信し、前記圧力検知装置（２）のＣ−ＮＣ端子間が通電状態にある場合は、表示部（３３）およびスピーカ部（３５）に特に出力させることはない。
【００４６】
一方、前記制御部（３１）は、前記圧力検知装置（２）のＣ−ＮＯ端子間が導通状態になった場合は、警報を画面表示により表示部に出力させるとともに、警報を音声によりスピーカ部に出力させる。なお、防犯システムの作動の切り替えは前記操作部（３５）により行う。
【００４７】
次に前記ドア用防犯システムの動作について説明する。
【００４８】
通常時の場合、前記ドア本体（１２）の空間部（１６）は真空状態となされているので、前記圧力検知装置（２）はＣ−ＮＣ端子間が通電状態となっている。
【００４９】
そして、前記警報出力装置（３）は、前記圧力検知装置（２）のＣ−ＮＣ端子間の通電状態を受信部（３２）により受信する。このとき、前記圧力検知装置（２）が前記空間部（１６）における気体の圧力の変化を検知していないので、前記警報出力装置（３）は前記表示部（３３）およびスピーカ部（３４）を特に作動させない。
【００５０】
一方、外側の前記ドア板（１２ａ）がドリル等により孔をあけられた場合、前記空間部（１６）と外気とが連通し、前記空間部（１６）の圧力が高まるので、前記圧力検知装置（２）は上述のスイッチ切替作用によりＣ−ＮＯ端子間が通電状態となり、前記空間部（１６）における気体の圧力の変化を検知する。
【００５１】
そして、前記警報出力装置（３）は、前記前記圧力検知装置（２）のＣ−ＮＣ端子間の通電状態を受信部（３２）により受信する。このとき、前記圧力検知装置（２）が前記空間部（１６）における気体の圧力の変化を検知したので、前記警報出力装置（３）は制御部（３１）により警報を画面表示により表示部（３３）に出力させるとともに、警報を音声によりスピーカ部（３４）に出力させる。
【００５２】
これによれば、サムターン回し等によりドア（１）に孔があけば、前記空間部（１６）と外気とが連通し、前記空間部（１６）における気体の圧力が変化するので、前記圧力検知装置（２）がその気体の圧力の変化を検知し、その検知に伴って前記警報出力装置（３）が警報を出力することができる。このため、サムターン回し等によるドア（１）の破損を簡単かつ確実に検知することができ、ひいては玄関からの空き巣や強盗等の侵入を防止することが可能となる。
【００５３】
なお、この実施形態では、サムターン回しによるドア（１）の破損を検知する場合を説明したが、バール等によりドア（１）をこじ開けた際のドア（１）の破損も検知することができる。
【００５４】
また、前記空間部（１６）を真空状態（真空に近い状態も含む）としたが、空間部（１６）に所定の気体を充填して一定の気圧に保つものとしてもよい。
【００５５】
また、前記圧力検知装置（２）は、圧力によりスイッチが切り替わるスイッチ型のものを用いたが、電圧出力型、あるいはデジタル出力型等のその他の方式のものであってもよく、要は前記空間部（１６）の圧力変化を検知するものであればよい。
【００５６】
また、前記圧力検知装置（２）は、前記ドア板（１２ａ）に直接取り付けるものとしたが、配管等を介するものとしてもよい。
【００５７】
また、前記圧力検知装置（２）は、前記ドア板（１２ａ）の左上隅部に取り付けるものとしたが、ドア板（１２ａ）のその他の箇所、あるいはドア枠（１１）、または壁等に取り付けるものとしてもよい。
【００５８】
また、前記警報出力装置（３）は、前記圧力検知装置（２）と別々に構成したが、前記圧力検知装置（２）と一体に構成してもよい。
【００５９】
また、前記警報出力装置（３）は、画面表示と音声により警報を出力するものとしたが、いずれか一方の方法により警報を出力するものしてもよい。
【００６０】
また、前記警報出力装置（３）は、図５に示すように、前記圧力検知装置（２）により前記空間部（１６）における気体の圧力変化が検知された場合に、前記画面表示または音声による警報の出力と共にあるいは代えて、警備会社のサーバコンピュータ（６）に対して警報をネットワークを介して出力（送信）するものとしてもよい。これによれば、警備会社においても空き巣や強盗等の侵入を検知することができ、防犯システムの信頼性がより一層向上することが可能となる。
【００６１】
また、前記空間部（１６）は、前記ドア（１）の全面に亘って設けるものとしたが、図６に示すように、サムターン（１４）の周辺部に設けるものとしてもよい。これによれば、ドア（１）の全面に亘って空間部（１６）を設ける必要がないので、コストを低減させつつサムターン回しを効率的に防止すことができる。なお、この場合、前記圧力検知装置（３）は、ドア板（１２ａ）の外面に設置してもよいが、ドアの美観を損ねることがないように、ドア板（１２ａ）（１２ａ）間に不可視状態で設置するのが好ましい。
【００６２】
［実施形態２］
次にこの発明の他の実施形態に係るドア用防犯システムについて説明する。
【００６３】
この実施形態では、圧力検知装置（２’）に、前記ドア本体（１２）の空間部（１６）における気体を抜き出すための気体抜出孔（２３）が設けられている。
【００６４】
即ち、前記圧力検知装置（２’）は、図７に示すように、前記圧力スイッチ（２２）がケーシング（２１）内において縦方向に収容され、該圧力スイッチ（２２）の接続ポート（２２ｇ）が配管（２４）を介して記ドア板（１２ａ）の圧力取出孔（１２ｃ）に連通している。なお、この圧力取出孔（１２ｃ）は、ドア板（１２ａ）に新規に穿設された孔であってもよいし、あるいはドア板（１２ａ）に予め穿設されている既存の気体抜出孔であってもよい。
【００６５】
そして、前記圧力検知装置（２７）に気体抜出孔（２３）が設けられており、該気体抜出孔（２３）は前記配管（２４）を介して圧力取出孔（１２ｃ）に連通している。（１７）は前記気体抜出孔（２３）を閉蓋するための保護キャップである。
【００６６】
なお、実施形態１で説明したものと同一のものは、同一符号を付してその説明を省略する。
【００６７】
これによれば、前記圧力検知装置（２）の気体抜出孔（２３）から、ドア板（１２ａ）の圧力取出孔（１２ｃ）を介して、前記空間部（１６）における気体を抜き出すことができる。特にドア板（１２ａ）に気体抜出孔が予め穿設されている場合、その気体抜出孔を圧力取出孔（１２ｃ）とすると、圧力検知装置（２’）をドア（１）に簡単に取り付けることができるので、本防犯システムを既存のドアに容易に設置することが可能となる。
【００６８】
［実施形態３］
【００６９】
次にこの発明のさらに他の実施形態に係るドア用防犯システムについて説明する。
【００７０】
この実施形態では、前記ドア（１）のドア板（１２ａ）の表面に空間部（１９）が設けられている。即ち、前記ドア本体（１２）は、図８および図９に示すように、前記ドア板（１２ａ）（１２ａ）と、内側のドア板（１２ａ）と所定距離を隔てて設けられた矩形状のアルミニウム製の空間部形成板（１８）と、それらドア板（１２ａ）（１２ａ）と空間部形成板（１８）の周囲開口部を閉鎖する閉鎖板（１２ｂ）とを備えてなり、前記ドア板（１２ａ）、空間部形成板（１８）および閉鎖板（１２ｂ）により囲まれる部分が空間部（１９）となされている。
【００７１】
そして、前記空間部（１９）は気体の圧力が一定に保たれており、前記圧力検知装置（２）は前記空間部（１９）の圧力の変化を検知するようになっている。なお、この実施形態では、ドア板（１２ａ）（１２ａ）間の空間部（１６）は気体の圧力が一定に保たれている必要はない。
【００７２】
なお、実施形態１で説明したものと同一のものは、同一符号を付してその説明を省略する。
【００７３】
これによれば、サムターン回し等によりドア（１）の外側のドア板（１２ａ）に続いて内側のドア板（１２ｂ）に孔があけば、前記空間部（１９）と外気とが連通し、前記空間部（１９）における気体の圧力が変化するので、前記圧力検知装置（２）がその気体の圧力の変化を検知し、その検知に伴って前記警報出力装置（３）が警報を出力することができる。
【００７４】
なお、この実施形態では、内側のドア板（１２ａ）の表面に空間部（１９）を設けるものとしたが、外側のドア板（１２ａ）の表面に空間部（１９）を設けるものとしてもよい。この場合、圧力検知装置（２）は、ドア（１）の外側から視認できないように、ドア板（１２ａ）（１２ａ）間の空間部（１６）に設置するのが好ましい。あるいはまた、圧力検知装置（２）を内側のドア板（１２ａ）の表面に設置し、配管等を介して前記空間部（１９）から気体を取り込むものとしてもよい。
【００７５】
［実施形態４］
次にこの発明のさらに他の実施形態に係るドア用防犯システムについて説明する。
【００７６】
この実施形態では、ドア用防犯システムをいわゆる「引き戸」に適用したものである。
【００７７】
図１０において、（８）（８）は玄関の一対の引き戸としてのドア、（２）（２）は前記ドア（８）に設けられた圧力検知装置、（３）は前記圧力検知装置（２）（２）に電気線（４）を介して接続された警報出力装置である。なお、図１０は、玄関内からドア（８）を見た状態を示す。
【００７８】
前記ドア（８）は、それぞれ矩形状のドア枠（８１）と、該ドア枠（８１）内に設けられたドア本体（８２）と、ドア枠（８１）に設けられた引手（８３）と、ドア（８）（８）の重なり部分に設けられたサムターン（８４）とを備えてなり、ドア（８）がドア受材（９）の溝にはめて左右に開閉するものとなされている。
【００７９】
前記ドア本体（８２）は、実施形態１のドア本体（１２）と同様に、その内部に空間部（８５）が設けられておいる。この空間部（８５）は気体の圧力が一定に保たれており、前記圧力検知装置（２）は前記空間部（８５）の圧力の変化を検知するようになっている。そして、前記警報出力装置（３）は、前記圧力検知装置（２）（２）の少なくともいずれか一方が圧力の変化を検知した場合に、警報を出力するものとなされている。
【００８０】
また、この実施形態ではドア（８）が「引き戸」であり、実施形態１のドア（１）のように蝶番（１５）等を介してドア受材（９）に一部を固定されていないので、圧力検知装置（２）と警報出力装置（３）の通電のための電気線（４）をそのまま用いることができない。そこで、前記圧力検知装置（２）と前記警報出力装置（３）との通電のためにマグネットプラグ（７）が用いられている。
【００８１】
前記マグネットプラグ（７）は、図１１に示すように、前記圧力検知装置（２）に結線された雄部材（７１）と、前記警報出力装置（３）に結線された雌部材（７２）とから構成される。
【００８２】
前記雄部材（７１）は、前記ドア（８）のドア枠（８１）の角部において前面（７１ｂ）を露出する態様で埋設されており、２個の接触端子（７１ａ）（７１ａ）が設けられている。これら接触端子（７１ａ）（７１ａ）は、それぞれ雄部材（７１）の胴体部（７１ｃ）を水平方向に平行に貫通する態様で設けられており、先端部が雄部材（７１）の前面（７１ｂ）を突出し、基端部には前記圧力検知装置（２）に通電するための電気線（４ａ）の一端が固着されている。なお、（７１ｄ）は、前記雄部材（７１）の前面（７１ａ）の中央部に設けられた鉄板である。
【００８３】
一方、前記雌部材（７２）は、前記ドア受材（９）の隅部において前面（７２ｂ）を露出する態様で埋設されており、２個の接触端子（７２ａ）（７２ａ）が設けられている。この接触端子（７２ａ）（７２ａ）は、それぞれ雌部材（７２）の胴体部（７２ｃ）に形成された端子穴（７２ｄ）に設けられており、スプリングバネ（７２ｅ）により前記雄部材（７１）の接触端子（７１ａ）（７１ａ）の接近離間方向に付勢されている。
【００８４】
また、前記雌部材（７２）は、前記スプリングバネ（７２ｅ）の基端部には端子片（７２ｆ）が接続されており、該端子片（７２ｆ）には前記警報出力装置（３）に通電するための電気線（４ｂ）の一端が固着されている。なお、（７２ｇ）（７２ｈ）は、前記雌部材（７２）の前面（７２ｂ）の中央部に設けられた鉄板と磁石である。
【００８５】
しかして、ドア材（８）が前記ドア受材（９）に対して閉鎖されると、前記マグネットプラグ（７）の雄部材（７１）と雌部材（７２）は前記磁石（７２ｈ）の作用により密着するとともに、前記雄部材（７１）の接触端子（７１ａ）（７１ａ）と雌部材（７２）の接触端子（７２ａ）（７２ａ）とが通電可能な状態で接触する。このとき、前記雌部材（７２）の接触端子（７２ａ）がスプリングバネ（７２ｅ）に付勢されているので、マグネットプラグ（７）の雄部材（７１）および雌部材（７１）の各接触端子（７１ａ）（７２ａ）の距離や位置のずれが吸収され、圧力検知装置（２）と警報出力装置（３）を確実に通電させることができる。
【００８６】
なお、実施形態１および実施形態２と同一のものは同一符号を付してその説明を省略する。
【００８７】
なお、マグネットプラグはこの実施形態のものに限定されるものではなく、その他のマグネットプラグであってもよい。
【００８８】
また、マグネットプラグ（７）の雄部材（７１）および雌部材（７２）をそれぞれドア枠（８１）およびドア受材（９）に埋設するものとしたが、それらの表面にそれぞれ視認可能な状態で設けるものとしてもよい。これによれば、マグネットプラグ（７）を既存のドア（８）に簡単に設けることができる上に、ドア（８）に本防犯システムが適用されていることが一目瞭然となり、空き巣や強盗等に対して侵入を断念させる効果を奏する。
【００８９】
また、前記警報装置（３）は、さらに前記マグネットプラグ（７）の雄部材（７１）および雌部材（７２）の通電状態が遮断された場合に警報を出力するものしてもよい。これによれば、空き巣や強盗等がドア（８）を破損させずに開放した場合でもそれを検知でき、玄関等からの空き巣や強盗等の侵入を簡単かつ確実に防止することが可能となる。
【００９０】
【発明の効果】
請求項１に係る発明によれば、ドアに孔があけば、前記空間部と外気とが連通し、前記空間部における気体の圧力が変化するので、前記圧力検知手段がその気体の圧力の変化を検知し、その検知に伴って前記警報出力手段が警報を出力することができる。このため、サムターン回し等によるドアの破損を簡単かつ確実に検知することができ、ひいては玄関等からの空き巣や強盗等の侵入を防止することが可能となる。
【００９１】
請求項２に係る発明によれば、ドアの外観を損ねることなく、サムターン回し等によるドアの破損を簡単かつ確実に検知することができる。
【００９２】
請求項３に係る発明によれば、ドアの断熱効果を向上させることができるとともに、前記空間部における気体の圧力変化をより簡単かつ確実に検知することができる。なお、真空状態とは、前記空間部における気体の圧力が０である完全な真空状態のみならず、気体の圧力が極めて低く完全な真空状態に近い状態も含むものとする。
【００９３】
請求項４に係る発明によれば、ドアの全面に亘って空間部を設ける必要がないので、コストを低減させつつサムターン回しを効率的に防止すことができる。
【００９４】
請求項５に係る発明によれば、前記圧力検知手段の気体抜出孔から、ドア板の圧力取出孔を介して前記空間部における気体を抜き出すことができる。なお、前記ドア板の圧力取出孔は、ドア板に新規に穿設してもいし、あるいはドア板に既に穿設されている既存の気体抜出孔を流用してもよい。
【００９５】
請求項６に係る発明によれば、警備会社においても空き巣や強盗等の侵入を検知することができ、防犯システムの信頼性がより一層向上することが可能となる
。
【００９６】
請求項７に係る発明によれば、ドア（引き戸）が前記ドア受材に対して閉鎖されると、前記マグネットプラグの雄部材および雌部材が通電可能な状態で接触するので、前記圧力検知手段と警報出力手段も通電することができる。このため、ドア受材の溝にはめて左右に開閉する引き戸についても、この防犯システムを容易に適用する事が可能となる。
【００９７】
請求項８に係る発明によれば、空き巣や強盗等がドアに孔をあけずにドアを開放した場合でも、そのドアの開放を検知するので、玄関等からの空き巣や強盗等の侵入を防止することが可能となる。
【００９８】
請求項９に係る発明によれば、ドアがドア受材に対して閉鎖されて、マグネットプラグの雄部材および雌部材が接触した際に、マグネットプラグの雄部材および雌部材の各接触端子の距離や位置のずれが吸収され、圧力検知手段と警報出力手段を確実に通電させることができる。なお、弾性部材には、スプリング、バネ、ゴム等が挙げられる。
【００９９】
請求項１０に係る発明によれば、ドアに設けられた圧力検知手段を、所定箇所に配置された警報出力手段に接続させれば、上述のドア用防犯システムを簡単かつ確実に実現することができる。
【図面の簡単な説明】
【図１】この発明の一実施形態に係るドア用防犯システムの構成概略図である。
【図２】図１の要部の一部切欠き斜視図である。
【図３】図１の要部の断面図である。
【図４】図１の警報出力装置のハードウェア構成を示す図である。
【図５】この発明の他に実施形態に係るドア用防犯システムの構成概略図である。
【図６】この発明のさらに他に実施形態に係るドア用防犯システムの構成概略図である。
【図７】この発明の第２の実施形態に係るドア用防犯システムにおける要部の断面図である。
【図８】この発明の第３の実施形態に係るドア用防犯システムにおける要部の一部切欠き斜視図である。
【図９】図８の要部の断面図である。
【図１０】この発明の第４の実施形態に係るドア用防犯システムの構成概略図である。
【図１１】図１０のマグネットプラグの拡大断面図である。
【符号の説明】
１・・・ドア
２・・・圧力検知装置
３・・・警報出力装置
１１・・・ドア枠
１２・・・ドア本体
１６・・・空間部
【図１】
2004206675.tif 000003
【図２】
2004206675.tif 000004
【図３】
2004206675.tif 000005
【図４】
2004206675.tif 000006
【図５】
2004206675.tif 000007
【図６】
2004206675.tif 000008
【図７】
2004206675.tif 000009
【図８】
2004206675.tif 000010
【図９】
2004206675.tif 000011
【図１０】
2004206675.tif 000012
【図１１】
2004206675.tif 000013